(57)【特許請求の範囲】
【請求項１】
車体と、
上下に昇降可能な植付部と、
前記植付部への駆動力を断接制御する植付クラッチと、
車体旋回時に前記植付部の昇降及び前記植付クラッチを制御する旋回時自動昇降制御を行う制御部と、
前記車体の走行装置及び前記植付部の駆動源であるエンジンと、
を備え、
前記旋回時自動昇降制御において、前記制御部は、
旋回中又は旋回終了後の所定のタイミングで前記植付部を自動的に下降させ、
旋回終了後に、旋回開始前の植付中断位置に対応する植付再開位置まで車体が到達したときに前記植付クラッチを接続して植付を再開するように構成されており、
前記制御部は、前記植付再開位置よりも手前の位置である植付下降開始位置に車体が到達したタイミングで、前記植付部を下降させ、
当該制御部は、前記エンジンからの駆動を伝達する伝動軸の回転速度に応じて、前記植付下降開始位置から前記植付再開位置までの距離が変化するように、前記植付下降開始位置を変更することを特徴とする田植機。
【請求項２】
請求項１に記載の田植機であって、
前記制御部は、車体が旋回を開始してから走行した距離が所定の植付再開距離に達したか否かにより、前記植付再開位置に車体が到達したか否かを判断し、
前記植付再開距離には、植付の条間に基づく、車体を旋回させるために必要な距離である旋回距離が含まれていることを特徴とする田植機。
【請求項３】
請求項１又は２に記載の田植機であって、
前記制御部は、前記旋回時自動昇降制御中において、所定の旋回パターンから外れる操作が行われたことを検出した場合には、前記旋回時自動昇降制御を中断することを特徴とする田植機。
【請求項４】
請求項１から３までの何れか一項に記載の田植機であって、
旋回中又は旋回終了後に車体を後進させる操作が行われた場合、前記制御部は、前記植付部を上昇させるとともに、前記旋回時自動昇降制御を継続することを特徴とする田植機。
【請求項５】
請求項１から４までの何れか一項に記載の田植機であって、
圃場表面にラインを形成するために車体の右側方に配置された右マーカ、及び左側方に配置された左マーカと、
前記右マーカ及び左マーカの何れによって前記ラインを形成するか操縦者が指定するためのマーカ操作具と、
を備え、
前記旋回時自動昇降制御において、前記制御部は、前記右マーカ及び左マーカの何れか一方を自動選択し、選択したマーカによって前記ラインを形成するように構成され、
前記ラインを形成するマーカを操縦者が前記マーカ操作具によって選択した場合、前記制御部は、マーカの自動選択は行わず、操縦者が選択したマーカによって前記ラインの形成を行いながら前記旋回時自動昇降制御を継続することを特徴とする田植機。
【請求項６】
請求項１から５までの何れか一項に記載の田植機であって、
前記旋回時自動昇降制御中に植付部下降状態で前記植付クラッチが切断された場合、前記制御部は、当該植付クラッチが切断された位置を前記植付中断位置とすることを特徴とする田植機。
【請求項７】
請求項６に記載の田植機であって、
前記植付部を下降させた状態で前記植付クラッチが切断された場合、前記制御部は、植付再開までの間に、旋回時自動昇降制御を開始させるトリガとなる操作が行われたとしても、前記植付中断位置を変更せずに、前記旋回時自動昇降制御を継続することを特徴とする田植機。
【請求項８】
請求項１から７までの何れか一項に記載の田植機であって、
苗継ぎ作業の際に苗継位置に操作される主変速操作具と、
前記旋回時自動昇降制御が行われていることを報知音により報知する報知部と、
を備え、
前記主変速操作具が前記苗継位置にあるときには、前記制御部は、前記報知音を停止又は音量を小さくすることを特徴とする田植機。
【請求項９】
請求項１から８までの何れか一項に記載の田植機であって、
前記旋回時自動昇降制御において、前記制御部が前記植付部を下降させる速度と、操縦者の操作による前記植付部の下降速度と、が異なることを特徴とする田植機。
【発明の詳細な説明】
【技術分野】
【０００１】
本発明は主として、田植機の車体を旋回させる際に植付部を自動的に昇降させる制御に関する。
【背景技術】
【０００２】
田植機は、苗の植え付けを行う植付部（田植装置）を備えている。この植付部が地面に接近又は接触した状態で車体を旋回させると、当該植付部が地面や畦に接触して破損するおそれがある。そこで、車体を旋回させる際に、植付部を自動的に上昇させる構成の田植機が知られている。この種の田植機は、例えば特許文献１に記載されている。
【先行技術文献】
【特許文献】
【０００３】
【特許文献１】特開２００７−７４９９１号公報
【発明の概要】
【発明が解決しようとする課題】
【０００４】
特許文献１は、車体が９０度旋回した時点で植付部を下降させ、機体が植付開始位置に来た時点でＰＴＯクラッチを自動的に入りとする構成を開示している。ところで、植付部の下降動作にはある程度の時間がかかるので、車体の走行速度が速い場合などには、植付部の下降が間に合わないという状況が発生し得る。即ち、植付部が下降しきっていない状態でＰＴＯクラッチが入ってしまい、空中植えが発生する可能性があった。
【０００５】
この点、特許文献１は、空中植えを防止するために、センターフロートが所定の角度になるまで植付部が下降したときにＰＴＯクラッチを自動的に入れる構成を開示している。これによれば、植付部を所定の位置まで確実に下降させた後にＰＴＯクラッチを入れることができるので、空中植えを防止することができる。
【０００６】
しかし前述のように、車体の走行速度が速い場合には、植付部の下降が遅れがちになる。特許文献１の構成では、植付部の下降が遅れた場合、ＰＴＯクラッチが入るタイミングも遅れがちとなり、結果として、植え付けを開始する位置がズレてしまうという問題がある。
【０００７】
また、上記のような旋回時自動昇降制御は、田植機の車体が所定の旋回パターンに沿って走行していることを前提としており、この旋回パターンを外れてしまうと、旋回後に植付を再開するタイミングを正しく判定することができないという問題がある。
【０００８】
本発明は以上の事情に鑑みてされたものであり、その主要な目的は、高速時の空植えを防止できる田植機を提供することにあり、別の目的は、車体が旋回パターンを外れたときに適切な対応ができる田植え機を提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成の田植機が提供される。即ち、この田植機は、車体と、上下に昇降可能な植付部と、前記植付部への駆動力を断接制御する植付クラッチと、車体旋回時に前記植付部の昇降及び前記植付クラッチを制御する旋回時自動昇降制御を行う制御部と、前記車体の走行装置及び前記植付部の駆動源であるエンジンと、を備える。前記旋回時自動昇降制御において、前記制御部は、旋回中又は旋回終了後の所定のタイミングで前記植付部を自動的に下降させる。また前記制御部は、旋回終了後に、旋回開始前の植付中断位置に対応する植付再開位置まで車体が到達したときに前記植付クラッチを接続して植付を再開する。前記制御部は、前記植付再開位置よりも手前の位置である植付下降開始位置に車体が到達したタイミングで、前記植付部を下降させる。そして当該制御部は、前記植付部を下降させるタイミングを、前記エンジンからの駆動を伝達する伝動軸の回転速度に応じて、前記植付下降開始位置から前記植付再開位置までの距離が変化するように、前記植付下降開始位置を変更する。
【００１１】
このように、伝動軸の回転速度を見ることにより、植付部を下降させるタイミングを、車体の走行速度に応じて変更することができる。そして例えば、車体の走行速度が速いときには、植付部を下降させるタイミングを早くすることにより、植付部が下降しきる前に植付クラッチが入ってしまうことを防止することができる。
【００１２】
上記の田植機において、前記制御部は、車体が旋回を開始してから走行した距離が所定の植付再開距離に達したか否かにより、前記植付再開位置に車体が到達したか否かを判断し、前記植付再開距離には、植付の条間に基づく、車体を旋回させるために必要な距離である旋回距離が含まれていることが好ましい。
【００１３】
即ち、条間が異なると、旋回時に車体が走行する距離も異なる。従って、同じ距離を走行したとしても、植付再開位置への到達の有無は条間によって異なる。そこで、植付再開位置に到達したか否かの判断を、条間を考慮して行うことにより、植付クラッチが接続される位置を条間にかかわらず一定とすることができる。即ち、条間にかかわらず、植え始め位置を揃えることができる。
【００１４】
上記の田植機において、前記制御部は、前記旋回時自動昇降制御中において、所定の旋回パターンから外れる操作が行われたことを検出した場合には、前記旋回時自動昇降制御を中断することが好ましい。
【００１５】
即ち、所定の旋回パターンに合致しない操作が行われた場合、操縦者は旋回時自動昇降制御を続ける意図がないと考えられる。このような場合には制御を中断することにより、危険動作や誤植を回避できる。
【００１６】
上記の田植機において、旋回中又は旋回終了後に車体を後進させる操作が行われた場合、前記制御部は、前記植付部を上昇させるとともに、前記旋回時自動昇降制御を継続することが好ましい。
【００１７】
即ち、車体の軌道修正を行うため、旋回中又は旋回終了後に車体を後進させる場合がある。このような場合には、旋回時自動昇降制御を中断せずに継続することで、操縦者の意図に沿った制御とすることができる。また、後進させる際に、植付部を上昇させることで、当該植付部が畦などに衝突して損傷することを防止できる。
【００１８】
上記の田植機は、以下のように構成されることが好ましい。即ち、この田植機は、圃場表面にラインを形成するために車体の右側方に配置された右マーカ、及び左側方に配置された左マーカと、前記右マーカ及び左マーカの何れによって前記ラインを形成するか操縦者が指定するためのマーカ操作具と、を備える。前記旋回時自動昇降制御において、前記制御部は、前記右マーカ及び左マーカの何れか一方を自動選択し、選択したマーカによって前記ラインを形成する。ラインを形成するマーカを操縦者が前記マーカ操作具によって選択した場合、前記制御部は、マーカの自動選択は行わず、操縦者が選択したマーカによって前記ラインの形成を行いながら前記旋回時自動昇降制御を継続する。
【００１９】
これにより、旋回時自動昇降制御を継続しながら、マーカの自動選択のみを解除することができる。これにより、操縦者の意図した側のマーカでラインを形成できるとともに、意図しない側のマーカによってラインが形成されてしまうこともない。
【００２０】
上記の田植機において、前記旋回時自動昇降制御中に植付部下降状態で前記植付クラッチが切断された場合、前記制御部は、当該植付クラッチが切断された位置を前記植付中断位置とすることが好ましい。
【００２１】
即ち、植付部を下降させたままで車体を走行させることにより、地面をならすことができる。そしてこのような場合であっても、上記の構成によれば、旋回時自動昇降制御を中断することなく継続することができる。
【００２２】
上記の田植機において、前記植付部を下降させた状態で前記植付クラッチが切断された場合、前記制御部は、植付再開までの間に、旋回時自動昇降制御を開始させるトリガとなる操作が行われたとしても、前記植付中断位置を変更せずに、前記旋回時自動昇降制御を継続することが好ましい。
【００２３】
このように、植付部を下降させたまま走行しているときには、各種操作が行われたとしても植付中断位置を変更しないことにより、植付再開位置がズレることを防止できる。また、植付部の上昇操作等を行っても旋回時自動昇降制御が中断されることはないので、必要に応じて植付部の上昇操作等を適宜行うことができる。
【００２４】
上記の田植機は、以下のように構成されることが好ましい。即ち、この田植機は、苗継ぎ作業の際に苗継位置に操作される主変速操作具と、前記旋回時自動昇降制御が行われていることを報知音により報知する報知部と、を備える。前記主変速操作具が前記苗継位置にあるときには、前記制御部は、前記報知音を停止または音量を小さくする。
【００２５】
これにより、不必要に報知音が鳴らされることを防止できる。
【００２６】
上記の田植機は、前記旋回時自動昇降制御において、前記制御部が前記植付部を下降させる速度と、操縦者の操作による前記植付部の下降速度と、が異なることが好ましい。
【００２７】
即ち、自動昇降制御に適した下降速度と、マニュアル操作に適した下降速度と、をそれぞれ設定することにより、自動昇降制御における制御性を向上させつつ、マニュアル操作における安全性と操作性を維持することができる。
【図面の簡単な説明】
【００２８】
【図１】本発明の一実施形態に係る田植え機の側面図。
【図２】田植え機の平面図。
【図３】田植え機の動力伝達機構を示すスケルトン図。
【図４】植付中断直後の田植機の様子を示す平面図。
【図５】旋回開始直後の田植機の様子を示す平面図。
【図６】旋回終了直後の田植機の様子を示す平面図。
【図７】植付再開直前の田植機の様子を示す平面図。
【発明を実施するための形態】
【００２９】
次に、図面を参照して本発明の実施の形態を説明する。
【００３０】
図１に示すように、本発明の一実施形態に係る田植機１は、車体２と、当該車体２の後方に配置された植付部３と、から構成されている。
【００３１】
車体２は、左右一対の前輪（走行装置）４と、左右一対の後輪（走行装置）５を備えている。また、車体２は、その前後方向で前輪４と後輪５の間に運転座席６を備えている。運転座席６の近傍には、車体２の操向操作を行うためのステアリングハンドル（操向操作具）７、車体２の走行速度を調節するための変速ペダル８、車体２の前後進を切り換えるための図略の主変速レバー（主変速操作具）、植付部３を昇降操作するための図略の植付昇降レバー（植付昇降操作具）等、各種の操作具が配置されている。また、車体２において運転座席６の後方には、施肥装置２３が配置されている。
【００３２】
また、車体２において、運転座席６の下方にはエンジン１０が、当該エンジン１０の前方にはミッションケース１１が、それぞれ配置されている。一方、車体２の後方には、植付部３を取り付けるための昇降リンク機構１２、エンジン１０の駆動力を植付部３に出力するためのＰＴＯ軸１３、植付部３を昇降駆動するための昇降シリンダ１４等が配置される。
【００３３】
また、車体２は、図略の制御部を備えている。制御部は例えばマイクロコントローラからなり、田植機１の各部に備えられたセンサ等の信号に基づいて、田植機１の各構成を制御するように構成されている。
【００３４】
前記植付部３は、植付ケース１５と、複数のフロート１６と、苗載台１７と、線引きマーカ１８と、を備えている。
【００３５】
フロート（浮き）１６は、図２に示すように、植付部３の下部に左右対称に設けられる。このフロート１６を地面に接触させることにより、植付部３を地面に対して水平に保ち、植付姿勢を安定させて正確な植付けを行うことができるように構成されている。
【００３６】
植付ケース１５には、１つ以上の植付ユニット２０が取り付けられている。植付ユニット２０は、回転ケース２１に２つの植付爪２２を備えるロータリ式植付装置として構成されている。また、植付ケース１５には、前記ＰＴＯ軸１３を介してエンジン１０の駆動力が入力されており、この駆動力によって回転ケース２１が回転駆動される。ロータリ式植付装置の構成は公知であるので詳細な説明は省略するが、回転ケース２１を回転駆動することにより、植付爪２２の先端部が所定の軌跡を描きながら上下に駆動されるように構成したものである。植付爪２２の先端部は、上から下に向かって動くときに、後述の苗載台１７に載せられた苗マットの下端から１株分の苗を掻き取り、当該苗の根元を保持したまま下方に動いて地面に植え込むように構成されている。
【００３７】
苗載台１７は、前記植付ケース１５の上方に配置されている。この苗載台１７は、図略のガイドレール上を車体左右方向に往復摺動可能に支持されている。そして、植付部３は、苗マットの左右幅の範囲内で苗載台１７を左右に往復駆動する図略の横送り機構を備えている。これにより、苗載台１７に載せた苗マットを、植付ユニット２０に対して左右に相対運動させることができる。また、苗載台１７は、苗マットを、下方に向かって（即ち、植付ユニット２０側に向かって）間欠的に送る苗送りベルト（縦送り機構）を備えている。以上の構成で、横送り機構と縦送り機構とを適切に連動させることにより、各植付ユニット２０に対して苗を順次供給し、連続的に植付けを行うことができる。
【００３８】
植付ケース１５には、前記昇降リンク機構１２が連結されている。この昇降リンク機構１２は平行リンク構造から構成されており、当該昇降リンク機構１２に連結された昇降シリンダ１４を駆動することにより、植付ケース１５を上下に昇降駆動可能に構成されている（これにより、植付部３全体を上下に昇降することができる）。
【００３９】
前記昇降シリンダ１４は、操縦者が植付昇降レバーを前後に傾動操作することにより、操作することができるように構成されている。これにより、操縦者が植付部３を上下昇降することができる。即ち、苗の植付を行う際には、植付部３を下降させ、フロート１６を地面に接触させた状態とする。これにより、植付部３の姿勢を保ち苗を地面に適切に植え付けることができる。また、車体を路上走行させる場合、或いは車体を旋回させる場合など、苗の植え付けを行わない場合には、植付部３を上昇させ、地面から離間させておく。これにより、植付部が地面等に接触しないので、植付部３の損傷を防ぐことができる。なお、昇降シリンダ１４の動作は、制御部によって制御可能に構成されている。これにより、制御部によって植付部３を自動的に昇降制御することが可能となっている。なお、植付部３の自動昇降制御については後述する。
【００４０】
また、複数のフロート１６のうち、少なくとも１つは、支点を中心に揺動可能に取り付けられるとともに、当該揺動角度を図略のフロートセンサによって検出するように構成されている。制御部は、このフロート１６の揺動角を所定の角度に保つように植付部３を昇降制御することにより、植付部３を適切な高さに保って適切な植付を行うことができる。
【００４１】
線引きマーカ１８は、植付部３の左右それぞれに配置されている。左右の線引きマーカ１８は、マーカ支持アーム９の先端に回転可能に取り付けられている。マーカ支持アーム９は、傾動可能に構成されている。具体的には、左のマーカ支持アーム９Ｌは、その先端を左方向に向けて倒すことができるように構成されており、これにより左の線引きマーカ１８Ｌを、車体の左側方において地面に接触させることができるようになっている。また右のマーカ支持アーム９Ｒは、その先端を右方向に向けて倒すことができるように構成されており、これにより右の線引きマーカ１８Ｒを、車体の右側方において地面に接触させることができるようになっている。また、左右のマーカ支持アーム９は、その先端を上方に向けて略直立させることができるように構成されており、これにより線引きマーカ１８を地面から離間させることができるようになっている。
【００４２】
線引きマーカ１８を地面に接触させた状態で車体を走行させることにより、線引きマーカ１８が地面を転がりながら回転する。これにより、線引きマーカ１８によって、地面に目安ラインを形成することができる（図４参照）。この目安ラインは、植付爪２２によって植え付けた苗のラインと平行に引かれる。操縦者は、目安ラインを参照しながら車体を走行させることにより、それまでに植えられた苗と平行に植付けを行うことができる。
【００４３】
左右のマーカ支持アーム９は、図略のマーカ駆動機構によって傾動駆動される。マーカ駆動機構は、操縦者が植付昇降レバーを操作することにより操作することができるように構成されている。従って、植付昇降レバーは、マーカ操作具であると言うこともできる。具体的には、植付昇降レバーは、左右に傾動操作することが可能に構成されている。そして、操縦者が植付昇降レバーを左に倒すように操作を行うと、左のマーカ支持アーム９Ｌが倒れて、左の線引きマーカ１８Ｌによって目安ラインを形成することができるようになっている。一方、操縦者が植付昇降レバーを右に倒すように操作を行うと、右のマーカ支持アーム９Ｒが倒れて、右の線引きマーカ１８Ｒによって目安ラインを形成することができるようになっている。また、マーカ駆動機構の動作は、制御部によって制御可能に構成されている。これにより、左右の線引きマーカ１８による目安ラインの形成を、制御部によって自動的に行うことができるようになっている。なお、線引きマーカ１８の自動制御については後述する。
【００４４】
また、本実施形態の田植機１は、図略の報知部を備えている。この報知部は、具体的にはブザーとして構成されており、報知音を鳴らすことができるように構成されている。また、報知部の作動は制御部によって制御されている。
【００４５】
続いて、本実施形態の田植機１における駆動伝達経路について、図３を参照して説明する。
【００４６】
エンジン１０の駆動力は、前記駆動伝達ベルト３４を介して、エンジン１０の前方に配置されたミッションケース１１に入力される。ミッションケース１１内には、油圧式無段変速装置２６が設けられており、当該油圧式無段変速装置２６によってエンジン１０の駆動力が変速される。この油圧式無段変速装置２６は、例えば公知のＨＳＴ（静油圧式無段変速機）などを採用することができる。油圧式無段変速装置２６の変速比は、操縦者が変速ペダルを操作することにより変更することができる。
【００４７】
油圧式無段変速装置２６からの出力の一部は、メインクラッチ３５を介してギア式の主変速装置３６に入力され、変速される。主変速装置３６は、操縦者が主変速レバーを操作することにより切り替え可能に構成されている。具体的には、主変速レバーは、「前進」「後進」「苗継」のポジションを少なくとも選択可能に構成されている。主変速レバーが「前進」位置に操作されると、後述の車軸３８，４２を、車体を前進させる方向に回転駆動させる。一方、主変速レバーが「後進」位置に操作されると、車軸３８，４２を、車体を後進させる方向に回転駆動させる。また、主変速レバーが「苗継」位置に操作されると、車軸３８，４２、及びＰＴＯ軸１３に対する駆動の伝達を切断する。
【００４８】
主変速装置３６で変速された回転駆動力の一部は、ミッションケース１１と一体的に形成されたフロントアクスルケース３７に伝達され、前輪４の車軸３８を回転駆動する。また、主変速装置３６で変速された回転駆動力の一部は、ミッションケース１１から後方に突出するプロペラシャフト３９を介してリアアクスルケース４０に入力され、後輪５の車軸４２Ｌ，４２Ｒを駆動する。以上の構成により、前輪４及び後輪５を駆動して車体を走行させる。操縦者は、変速ペダルを操作することにより、走行速度を任意に変更することができる。
【００４９】
また、プロペラシャフト３９から左の後車軸４２Ｌまでの駆動伝達経路の間には、左のサイドクラッチ４１Ｌが配置されている。同様に、プロペラシャフト３９から右の後車軸４２Ｒまでの駆動伝達経路の間には、右のサイドクラッチ４１Ｒが配置されている。左右のサイドクラッチ４１Ｌ，４１Ｒは、それぞれ独立して断接を切り換えることができる。即ち、本実施形態の田植機１は、左右の後輪５，５に対する駆動力の伝達の有無を、個別に切り換えることができるように構成されている。これにより、車体２の急旋回を行う時に、内側の後輪に対する駆動力の伝達を切断することができるので、スムーズな急旋回を実現することができる。
【００５０】
また、油圧式無段変速装置２６の出力の一部は、ミッションケース１１の後端から取り出され、植付駆動伝動軸５２を介して植付変速部４３に入力される。植付変速部４３内には複数のギアからなる変速装置が設けられており、入力された駆動力を適宜変速してＰＴＯ軸１３から出力するように構成されている。このＰＴＯ軸１３が伝達する駆動力によって、植付部３が駆動される。以上の構成により、回転ケース２１を回転駆動する速度を変速することができるので、苗を植え付ける間隔を変更することができる。
【００５１】
また、植付変速部４３内において、ＰＴＯ軸１３には、植付クラッチ５０を介して駆動力が伝達されるように構成されている。この植付クラッチ５０を切断することにより、植付部３の駆動を停止することができる。この植付クラッチ５０は、制御部によって接続／切断を切り換えることができるように構成されている。また、この植付クラッチ５０は、図略の植付クラッチ操作レバーを操縦者が操作することにより、接続／切断を切り換えることができるようにも構成されている。
【００５２】
なお、上記ミッションケース１１内には、植付駆動伝動軸５２の回転を検出する回転センサ４４が取り付けられている。この回転センサ４４は、例えばロータリエンコーダによって構成することができる。回転センサ４４の検出結果は、前記制御部に入力される。
【００５３】
次に、図４等を参照して、本実施形態の田植機における旋回時自動昇降制御について説明する。
【００５４】
苗の植え付けは、通常、図４のように車体を直進させながら行う。このとき、左右何れか一方の線引きマーカ１８によって、圃場の地面に目安ラインを形成する。なお、図４の例では、車体右側の線引きマーカ１８Ｒによって目安ラインを形成している。これにより、植え付けた苗のラインと平行な目安ラインが、車体右側に形成される。
【００５５】
圃場の端まで車体を走行させると、車体を旋回させて方向転換する必要がある。車体を旋回させる際、まず操縦者は、植付昇降レバーを操作して、植付部３を上昇させる。作業者が植付部３を上昇させたことを検知すると、制御部は、旋回時自動昇降制御を開始する。
【００５６】
まず制御部は、植付クラッチ５０を自動的に切断し、苗の植え付けを中断させる。なお、植え付けが中断された位置を、植付中断位置と呼ぶ。また、制御部は、植付クラッチ５０を切断するのと前後して、報知部による報知動作を開始する。具体的には、報知部によって報知音を断続的かつ継続して鳴らす。これにより、旋回時自動昇降制御が行われていることを周囲に報知することができる。もっとも、報知音は連続的に鳴らしても良い。
【００５７】
また制御部は、植付中断位置から車体が走行した距離の計測を開始する。なお、走行距離を計測するための構成については後に説明する。
【００５８】
また植付部３の上昇と前後して、制御部は、マーカ支持アーム９を直立させ、線引きマーカ１８を格納状態とする。
【００５９】
次に、操縦者は、ステアリングハンドル７を操作して車体の旋回を開始する（図５の状態）。図５に示すように、植付中断位置から旋回開始位置までの距離を、「旋回前走行距離」と呼ぶ。なお、苗の植え付けを中断してから車体を旋回させるまでの間には、車体を後進させることもできる。苗の植え付けを中断してから車体を前進させた距離を「前進プラス距離」、苗の植え付けを中断してから車体を後進させた距離を「前進マイナス距離」と呼ぶ。従って、「旋回前走行距離」は、「前進プラス距離−前進マイナス距離」によって求めることができる。なお、旋回前走行距離は、マイナスの値になっても良い（即ち、植付中断位置よりも車体を後進させた後で旋回を開始することもできる）。
【００６０】
本実施形態の田植機１は、ステアリングハンドル７が一定量以上操作されると、旋回内側のサイドクラッチ４１が切断されるように構成されている。これにより、旋回内側の後輪５がフリー状態となるので、車体をスムーズに旋回させることができる。なお、車体の旋回を開始してから旋回内側のクラッチが切断されるまでの間を、「鋭角ターンモード」と呼ぶ。
【００６１】
操縦者は、ハンドルを切ったまま車体を走行させ、これにより車体をＵターンさせる。ここで、車体がある程度旋回すると、操縦者は、ステアリングハンドル７の操作量を中立位置まで戻していく。ステアリングハンドル７を戻してくと、切断されていた旋回内側のサイドクラッチ４１が、再び接続される。旋回内側のサイドクラッチ４１が切断されてから、再び接続されるまでの間を、「垂直ターンモード」と呼ぶ。
【００６２】
旋回内側のサイドクラッチ４１が接続された後、操縦者はハンドルを操作して車体姿勢を微調整し、直進状態に戻す。以上により、車体の旋回動作が終了する（図６の状態）。なお、旋回内側のサイドクラッチ４１が接続された後、車体が完全に直進状態に戻るまでの間を、「Ｕターンモード」と呼ぶ。
【００６３】
制御部は、旋回の終了と前後して、植付部３を下降させる。なお、植付部３を下降させるタイミングについては後述する。
【００６４】
植付部３を下降させた後、制御部は、植付クラッチ５０を接続して植付を再開する。
【００６５】
植付クラッチ５０を接続するタイミングについて説明する。制御部は、車体が旋回を開始してから走行した距離（旋回開始位置からの走行距離）を監視するように構成されている。そして、旋回開始位置からの走行距離が、所定の植付再開距離に達したときに、植付クラッチ５０を接続して植付を再開する。
【００６６】
ここで植付再開距離とは、具体的には、旋回距離と、爪位置オフセット距離と、旋回前走行距離と、を加算した距離である。旋回距離は、田植機１を旋回させる際に車体が走行する距離であり、車体の旋回性能等によって決まる。旋回距離は、制御部に予め設定されている。また、爪位置オフセット距離は、植付クラッチ５０を入れる位置を調整するためのオフセット距離であり、これも車体の旋回性能等によって決まる。爪位置オフセット距離は、制御部に予め設定されている。
【００６７】
制御部は、旋回開始位置からの走行距離が植付再開距離に達したことを検出すると、植付クラッチ５０を接続状態として、苗の植付を再開させる。植付を再開する位置を、「植付再開位置」と呼ぶ（図７参照）。このように、旋回前走行距離（植付を中断してから旋回を開始するまでの距離）を考慮して、車体が植付再開位置に到達したか否かを判断しているので、植付中断位置に対応した位置から植付を再開することができる。これにより、隣の条の植付中断位置に揃えて植付を再開することができる。植付を再開させると、制御部は、報知部による報知音を停止する。以上で旋回時自動昇降制御が終了する。
【００６８】
なお、植付の再開と前後して、制御部は、マーカ支持アーム９を倒し、線引きマーカ１８による目安ラインの形成を再開する。このとき、制御部は、旋回前に目安ラインを形成していた線引きマーカ１８とは反対側の線引きマーカ（図７の場合は左側の線引きマーカ１８Ｌ）を自動的に選択し、当該反対側の線引きマーカによって目安ラインを形成するように構成されている。このように、制御部によって線引きマーカ１８が自動的に選択されるので、旋回のたびに操縦者が左右の線引きマーカ１８を操作する必要が無い。
【００６９】
操縦者は、旋回前の植付時に線引きマーカ１８によって形成された目安ラインを参照しながら、車体を走行させる。これにより、旋回前に植え付けられた苗と平行に苗を植え付けていくことができる。
【００７０】
次に、本実施形態の特徴的な構成について説明する。
【００７１】
まず、本実施形態の旋回時自動昇降制御において、制御部が車体の走行距離を取得するための構成について説明する。
【００７２】
例えば特許文献１が開示する構成は、旋回内側の後輪伝動軸の回転数を検出して、車体の走行距離を算出している。ところがこの構成は、左右の後輪の伝動軸それぞれに、回転数を検出するためのセンサが必要になり、コストがかさむという問題がある。そこで本実施形態の田植機１では、回転センサ４４が検出する植付駆動伝動軸５２の回転数に基づいて、車体の走行距離を検出するように構成されている。即ち、植付駆動伝動軸５２の回転数は、車体の走行距離に比例するので、植付駆動伝動軸５２の回転数に基づいて車体の走行距離を容易に検出することができる。しかもこの構成の場合、回転センサ４４を植付駆動伝動軸５２に１つのみ設ければよいので、コストを抑えることができる。
【００７３】
なお、本実施形態の田植機１において、回転センサ４４は、植付クラッチ５０よりも上流側に設けられている。従って、植付クラッチ５０の断接にかかわらず、回転センサ４４によって植付駆動伝動軸５２の回転数を検出することができる。
【００７４】
次に、旋回距離の設定方法について説明する。即ち、旋回距離は、車体の旋回性能や、車体の仕様により異なるので、予め適切な値を設定しておく必要がある。
【００７５】
本実施形態の田植機においては、旋回距離を、苗の条間（車体の走行方向と直交する方向での苗同士の間隔）及び条数（植付ユニット２０の数。ちなみに図２に示すように、本実施形態の田植機１の条数は４である）に応じて設定するように構成されている。即ち、苗の条間や条数は、田植機の仕様によって異なっている（例えば、条間３０ｃｍ仕様の田植機と、３３ｃｍ仕様の田植機が存在している）。条間や条数が異なると、車体を旋回させる際の中心位置が異なるので、車体を旋回させるために必要な距離（旋回距離）も異なる。従って、条間や条数が異なっているにもかかわらず、同じ条件で旋回時自動昇降制御を実施してしまうと、植え揃え位置に差がでてしまう。
【００７６】
そこで、本実施形態の田植機１においては、初期設定の際に、当該田植機１の条間及び条数を、制御部に対して設定できるように構成されている。制御部は、設定された条間及び条数に応じた旋回距離を算出し、記憶しておく。この構成によれば、条間や条数に応じた適切なタイミングで植付クラッチ５０を接続することができるので、条間や条数の違いに関係なく植え揃え位置を統一させることができる。
【００７７】
次に、空中植えを防止するための制御について説明する。
【００７８】
上記のように、田植機において実施される旋回時自動昇降制御は、旋回終了と前後して植付部３を下降させ、その後、車体が植付再開位置に到達したときに植付クラッチ５０を接続して植付を再開させるものである。しかし前述したように、車体の走行速度が速いときには、植付部３が下降しきる前に、車体が植付再開位置に到達してしまうことが考えられる。この場合、植付部３が空中に浮いた状態で植付クラッチ５０が接続されてしまうので、空中植えが発生する。
【００７９】
このような状況を防ぐために、植付部３を早めに下降させておくことも考えられる。しかし、植付部３を下降させるタイミングを一律に早く設定すると、車体の走行速度が遅い場合には、下降させるタイミングが早過ぎることになる。植付部３の下降タイミングが早過ぎると、車体の旋回中に植付部３が地面に接触していることになるので、当該植付部３が地面や畦に衝突して損傷するおそれがある。
【００８０】
そこで本実施形態の田植機１においては、旋回開始時の速度に応じて、植付部３を下降させるタイミングを変更するように構成されている。具体的には以下の通りである。
【００８１】
本実施形態の田植機１において、制御部は、車体の走行速度を監視している。なお、本実施形態の田植機１において、車体の走行速度は、回転センサ４４によって取得される植付駆動伝動軸５２の回転速度に基づいて取得することができる。これにより、走行速度を検出するための追加のセンサが不要となる。
【００８２】
制御部は、植付再開位置よりも所定距離手前の位置で、植付部３の下降を開始するように構成されている。植付部３の下降を開始する位置のことを、「植付下降開始位置」と呼ぶ。また、植付下降開始位置から植付再開位置（植付クラッチ５０を接続する位置）までの距離を、「下降開始オフセット距離」と呼ぶ。
【００８３】
制御部は、旋回操作が行われる直前の走行速度に応じて、下降開始オフセット距離を設定するように構成されている。より具体的には、旋回操作が行われる直前の走行速度が速いほど、下降開始オフセット距離を大きく取る。言い替えれば、制御部は、走行速度が速いほど、植付部３の下降を開始するタイミングを早くするように構成されている。これによれば、車体の走行速度が速い場合であっても、植付部３の下降が間に合わずに空中植えが発生してしまうことを防止できる。
【００８４】
なお、下降開始オフセット距離を大きくとり過ぎると、車体が旋回している最中に植付部３が下降を開始する場合がある。この場合、植付部３が地面や畦に接触して損傷してしまうおそれがある。そこで本実施形態の田植機１では、下降開始オフセット距離を、最大で１３００ｍｍとしている。このように下降開始オフセット距離の上限を設定することにより、植付部３の下降を開始するタイミングが早くなり過ぎることを防ぐことができるので、植付部３が損傷することを防止できる。
【００８５】
次に、植付部３を下降させる際の速度について説明する。
【００８６】
従来の田植機では、操縦者が植付昇降レバーを操作したときに植付部が下降する速度と、自動制御で植付部を下降させる速度は同じであった。ところが、植付部の上下位置を操縦者がマニュアル操作する場合において、昇降速度が速過ぎると狙い通りの位置に合わせられないという問題がある。そこで、植付昇降レバーによる植付部の下降速度は、マニュアル操作を行い易いようにある程度ゆっくりした速度に設定されていた。しかし、自動昇降制御による下降速度もこれに合わせていたので、自動制御による植付部の下降が遅れてしまう原因ともなっていた。
【００８７】
そこで、本実施形態の田植機では、マニュアル操作と自動昇降とでは下降速度を異ならせている。具体的には、植付昇降レバーが操作されたことによる植付部３の下降速度よりも、制御部の自動制御による植付部３の下降速度の方が速いように設定されている。これにより、双方で最適な速度で下降させることができる。即ち、マニュアル操作の場合には比較的ゆっくりと下降させることにより植付部３の上下位置を合わせ易くし、自動昇降制御のときには下降速度を早くして下降が間に合わなくなることを防ぐことができる。
【００８８】
次に、旋回時自動昇降制御の自動解除について説明する。
【００８９】
即ち、上記の旋回時自動昇降制御は、車体が所定の旋回パターン（植付部３の上昇操作の後、前進した後に旋回して再び直進するというパターン）で操作されることが前提となっている。従って、この旋回パターンを外れた操作が行われた場合には、植付を再開するタイミングを適切に判定することができないという問題がある。また、圃場を離脱する場合など、操縦者が意図的に旋回パターンから外れた操作を行う場合がある。
【００９０】
そこで本実施形態の田植機１は、所定の旋回パターンから外れた操作が操縦者によって行われた場合には、旋回時自動昇降制御を自動的に解除することにより、操縦者の意図に反して植付部３が昇降されてしまうことを防ぐように構成されている。
【００９１】
本実施形態において、旋回パターンから外れる操作を具体的に列挙すると、「前進プラス異常」、「前進マイナス異常」、「バック走行異常」、「旋回異常」、「旋回途中からの直進」、「植付部の手動下降」などが挙げられる。
【００９２】
本実施形態において「前進プラス異常」とは、植付中断位置から車体が連続して所定距離以上（例えば５ｍ以上）前進（直進）走行するように操作されたことを指す。この場合、制御部は、操縦者には車体を旋回させる意思が無いものとみなし、旋回時自動昇降制御を解除するのである。同様に、「前進マイナス異常」とは、植付中断位置から車体が連続して所定距離以上（例えば５ｍ以上）後進するように操作されたことを指す。この場合も、制御部は、操縦者には車体を旋回させる意思が無いものとみなし、旋回時自動昇降制御を解除する。また「バック走行異常」とは、旋回前走行距離の絶対値（｜前進プラス距離−前進マイナス距離｜）が所定距離以上（例えば５ｍ以上）になったことを指す。この場合も、植付を中断した後で必要以上に前進又は後進しているので、制御部は、操縦者には車体を旋回させる意思が無いものとみなし、旋回時自動昇降制御を解除するのである。
【００９３】
また、本実施形態において、「旋回異常」とは、所定距離以上（例えば１０ｍ以上）旋回操作が継続しているにもかかわらず旋回が終了しないことを指す。この場合、制御部は、操縦者はＵターンを意図して旋回しているものではないと判断できるので、旋回時自動昇降制御を解除するのである。また、「旋回途中からの直進」は、旋回を完了させる前に車体を直進状態に戻すように操作されたことを指す。この場合も、制御部は、操縦者がＵターンを意図していないと判断できるので、旋回時自動昇降制御を解除する。
【００９４】
また、本実施形態において、「植付部の手動下降」とは、旋回時自動昇降制御中に、操縦者が植付昇降レバーを操作して植付部３をマニュアルで下降させたことを指す。この場合、操縦者は、自動昇降制御によらず手動で植付部３を下降させることを意図したのであるから、制御部は、旋回時自動昇降制御を解除するのである。
【００９５】
以上のように、旋回パターンから外れた操作が操縦者によって行われた場合には、操縦者は旋回時自動昇降制御を継続する意図がないものとみなせる。従って、このような場合には旋回時自動昇降制御を解除することにより、植付部３が操縦者の意図に反して昇降されてしまうことを防ぐことができる。また、例えば誤操作によって操縦者が意図せずに旋回時自動昇降制御が開始されてしまった場合であっても、旋回パターンから外れた場合には自動的に解除されるので、危険動作や誤植を防止することができる。
【００９６】
しかし一方で、旋回パターンから外れた場合に旋回時自動昇降制御を無条件で解除してしまうと、かえって不便な場合がある。この点について具体例を挙げて説明する。
【００９７】
例えば、車体を旋回させた後に車体を後進させる操作が行われた場合、これは旋回パターンから外れた操作であると考えることもできる。従って、旋回終了後に後進操作が行われた場合には、旋回時自動昇降制御を解除するという構成も有り得る。
【００９８】
しかしながら、車体を旋回させた後、植付を再開する前に、軌道修正のために車体をいったん後進させたい場合がある。このような場合に旋回時自動昇降制御が解除されてしまうと、かえって操縦者の意図に反した制御となってしまう。
【００９９】
そこで、本実施形態の田植機１においては、垂直ターン以降（旋回内側のクラッチが接続された後）で植付の再開前に車体を後進させる操作が行われた場合であっても、制御部は、旋回時自動昇降制御を中断しないように構成されている。これにより、旋回時自動昇降制御を中断させることなく、車体を後進させて軌道修正を行うことができる。
【０１００】
なお、垂直ターン以降であれば、植付部３が既に下降している可能性がある。仮に植付部３が地面に接触した状態で車体を後進させると、植付部３が畦などに衝突して損傷するおそれがある。そこで制御部は、垂直ターン以降に車体を後進させる操作が行われた場合、植付部３を自動的に上昇させるように構成されている。これにより、植付部３の破損を防止することができる。なお、この場合、操縦者が車体を再度前進させ、植付下降開始位置に再度到達したときに、制御部が再度植付部３の自動下降を行う。
【０１０１】
また例えば、旋回時自動昇降制御中に、操縦者が植付昇降レバー（マーカ操作具）を操作することにより、線引きマーカ１８をマニュアルで操作する場合がある。この場合、制御部が自動的に行うマーカ選択とは異なる操作が行われたのであるから、旋回時自動昇降制御を解除して操縦者のマニュアル操作に委ねるという構成も有りうる。
【０１０２】
しかし、操縦者が線引きマーカ１８をマニュアルで操作した場合、植付部３の旋回時自動昇降制御自体を解除する意図はないと考えられる。従って、操縦者が植付昇降レバーを操作しただけで旋回時自動昇降制御が解除されてしまうと、かえって操縦者の意図に反した制御となってしまう。
【０１０３】
そこで制御部は、操縦者によって植付昇降レバーが操作された場合には、線引きマーカの自動選択機能のみを解除し、植付部３の旋回時自動昇降制御は継続するように構成されている。この場合、制御部は、操縦者によって選択された線引きマーカ１８によって目安ラインを形成しつつ、植付を行うように制御する。以上の構成によれば、操縦者は、任意の（左右何れか一方の）線引きマーカ１８で目安ラインを形成しつつ植付を行うことが可能である。しかも、制御部による線引きマーカの自動選択が解除されるので、操縦者が意図しない線引きマーカ１８によって目安ラインが形成されてしまうことがない。
【０１０４】
また例えば、車体の旋回中に、苗継作業などのために車体を一時停止させる場合がある。この場合、操縦者は、主変速レバーを「苗継」位置に操作する。
【０１０５】
このように苗継のために車体を一時停止させる場合、後で植付作業を再開することが前提である。従って本実施形態の田植機１において、制御部は、旋回中に車体を停止させる操作が行われたとしても、旋回時自動昇降制御は解除しないように構成されている。これにより、苗継ぎが終了したあとは、そのまま車体の走行を再開することにより、旋回時自動昇降制御を継続することができる。
【０１０６】
なお、旋回時自動昇降制御が有効になっている場合においては、前述のように、報知部による報知音が鳴るように構成されている。しかしながら、車体を停止させての苗継作業中に報知音が鳴り続くと非常に耳ざわりであるという問題がある。そこで本実施形態の制御部は、主変速レバーが「苗継」位置とされると、報知部による報知を中断するように構成されている。これにより、苗継作業を快適に行うことができる。もっとも、報知音を完全に止めるのに限らず、報知音の音量を小さくするように制御しても良い。
【０１０７】
続いて、苗の補給作業について説明する。
【０１０８】
田植機に搭載している苗が切れた場合、苗を補給しなければならない。この場合、枕地を横切って畦ぎわまで車体を走行させ、追加の苗を補給する。このとき、枕地に車輪跡を残したくない場合がある。このような場合、植付部３を下降させ、フロート１６によって地面をならすことにより、車輪跡を消すことができれば便利である。ところが前述のように、「植付部の手動下降」は旋回時自動昇降制御の解除条件となっているので、地面をならすために植付部３をマニュアルで下降させると、旋回時自動昇降制御が解除されてしまう。しかし、旋回時自動昇降制御の解除を操縦者が望まない場合もある。
【０１０９】
そこで本実施形態の田植機１は、操縦者が植付クラッチ操作レバーを操作することにより、植付部３を下げた状態のまま、植付クラッチ５０のみを切断できるように構成されている。これにより、植付を中断した状態で、かつフロート１６を地面に接触させたまま走行できるので、当該フロート１６で地面をならして車輪跡を消すことができる。しかもこの操作は、旋回時自動昇降制御の解除条件となっていないので、旋回時自動昇降制御を継続することができる。
【０１１０】
具体的には、制御部は、植付部３が下降された状態で、操縦者によって植付クラッチ５０を切断する操作が行われたことを検出すると、「苗補給モード」に移行する。なお、「苗補給モード」に移行する前の状態を、「通常モード」と呼ぶ。また制御部は、植付クラッチ５０が切断された位置を「植付中断位置」として、旋回時自動昇降制御を開始する。
【０１１１】
植付クラッチ５０を切断して苗補給モードに移行すると、操縦者は、苗の補給を行うために、枕地を横切って畦ぎわまで車体を直進させる。このとき、前述のように、枕地をフロート１６によってならすことができる。畦際での苗の補給を完了させると、操縦者は、車体を旋回させて、苗の植付に復帰する。制御部は、このように車体を旋回させる操作を検出した場合、植付部３を自動的に上昇させる。このように、苗補給モードにおいても、車体旋回時には植付部３を自動的に上昇させることにより、植付部３が地面や畦に衝突して損傷してしまうことを防ぐ。
【０１１２】
そして制御部は、植付中断位置に対応した位置まで車体が走行したことを検出すると、植付クラッチ５０を接続して植付を再開する。なお、この制御は、通常モードにおいて旋回終了後に植付クラッチ５０を自動的に接続する制御と同等の制御であるから、詳細な説明は省略する。制御部は、苗の植え付けを再開すると、通常モードに復帰する。
【０１１３】
なお、前述したように、通常モードにおいては、植付部３が操縦者によって上昇操作されたことを検出すると旋回時自動昇降制御を開始するように制御している。従って、植付部３を上昇させる操作は、旋回時自動昇降制御を開始するトリガとなる操作（トリガ操作）であると言える。トリガ操作が行われるたびに旋回時自動昇降制御が開始するので、そのたびに植付中断位置が変更されることになる。
【０１１４】
通常の旋回時であれば、旋回中に植付部３を手動で上昇させるということはないので、旋回時自動昇降制御の途中で植付中断位置が変更されるということはない。ところが、苗補給モードにおいては、必要に応じて植付部を上昇操作させるなど、通常の旋回時とは異なる操作を行う場合がある。このような操作が行われた場合に植付中断位置が変更されてしまうと、植付を再開する位置がズレてしまう。
【０１１５】
そこで本実施形態の田植機１の苗補給モードにおいては、植付部３の手動上昇操作など、旋回時昇降制御を開始するトリガとなる操作が行われたとしても、制御部は、植付中断位置を変更せず、旋回時自動昇降制御を継続するように構成されている。これにより、苗補給モードにおいては、植付部３の上昇操作などのトリガ操作によって植付中断位置が変更されることがないので、植付を再開する位置がズレることがなく、適切な位置で植付を再開することができる。
【０１１６】
以上で説明したように、本実施形態の田植機１は、車体２と、上下に昇降可能な植付部３と、植付部３への駆動力を断接制御する植付クラッチ５０と、車体旋回時に植付部３の昇降及び植付クラッチ５０を制御する旋回時自動昇降制御を行う制御部と、車輪及び植付部３の駆動源であるエンジン１０と、を備える。旋回時自動昇降制御において、制御部は、旋回中又は旋回終了後の所定のタイミングで植付部３を自動的に下降させる。また制御部は、旋回終了後に、旋回開始前の植付中断位置に対応する植付再開位置まで車体が到達したときに植付クラッチ５０を接続して植付を再開する。そして当該制御部は、植付部３を下降させるタイミングを、植付駆動伝動軸５２の回転速度に応じて変更する。
【０１１７】
このように、植付駆動伝動軸５２の回転速度を見ることにより、植付部３を下降させるタイミングを、車体の走行速度に応じて変更することができる。そして例えば、本実施形態のように、車体の走行速度が速いときには、植付部３を下降させるタイミングを早くすることにより、植付部３が下降しきる前に植付クラッチ５０が入ってしまうことを防止することができる。
【０１１８】
また本実施形態の田植機１において、前記制御部は、植付けの条間を考慮して、植付再開位置に車体が到達したか否かを判断している。
【０１１９】
即ち、条間が異なると、旋回時に車体が走行する距離も異なる。従って、同じ距離を走行したとしても、植付再開位置への到達の有無は条間によって異なる。そこで、植付再開位置に到達したか否かの判断に利用する旋回距離を、条間を考慮して設定する。これにより、植付クラッチ５０が接続される位置を条間にかかわらず一定とすることができる。即ち、条間にかかわらず、植え始め位置を揃えることができる。
【０１２０】
また本実施形態の田植機１において、制御部は、旋回時自動昇降制御中において、所定の旋回パターンから外れる操作が行われたことを検出した場合には、旋回時自動昇降制御を中断する。
【０１２１】
即ち、所定の旋回パターンに合致しない操作が行われた場合、操縦者は旋回時自動昇降制御を続ける意図がないと考えられる。このような場合には制御を中断することにより、危険動作や誤植を回避できる。
【０１２２】
また本実施形態の田植機１において、旋回中又は旋回終了後に車体を後進させる操作が行われた場合、制御部は、植付部３を上昇させるとともに、旋回時自動昇降制御を継続する。
【０１２３】
即ち、車体の軌道修正を行うため、旋回中又は旋回終了後に車体を後進させる場合がある。このような場合には、旋回時自動昇降制御を中断せずに継続することで、操縦者の意図に沿った制御とすることができる。また、後進させる際に、植付部３を上昇させることで、当該植付部３が畦などに衝突して損傷することを防止できる。
【０１２４】
また本実施形態の田植機１は、圃場表面に目安ラインを形成するために車体の右側方に配置された右側の線引きマーカ１８Ｒ、及び左側方に配置された左側の線引きマーカ１８Ｌと、線引きマーカ１８Ｒ，１８Ｌの何れによって目安ラインを形成するか操縦者が指定するための植付昇降レバーと、を備える。旋回時自動昇降制御において、制御部は、線引きマーカ１８Ｒ，１８Ｌの何れか一方を自動選択し、選択した線引きマーカによって目安ラインを形成する。目安ラインを形成する線引きマーカを操縦者が植付昇降レバーによって選択した場合、制御部は、線引きマーカ１８の自動選択は行わず、操縦者が選択した線引きマーカ１８によって目安ラインの形成を行いながら旋回時自動昇降制御を継続する。
【０１２５】
これにより、旋回時自動昇降制御を継続しながら、線引きマーカ１８の自動選択のみを解除することができる。これにより、操縦者の意図した側の線引きマーカ１８でラインを形成できるとともに、意図しない側の線引きマーカ１８によってラインが形成されてしまうこともない。
【０１２６】
また本実施形態の田植機１は、以下のように構成されている。即ち、旋回時自動昇降制御中に植付部３の下降状態で植付クラッチ５０が切断された場合、制御部は、当該植付クラッチ５０が切断された位置を植付中断位置とする。
【０１２７】
即ち、植付部３を下降させたままで車体を走行させることにより、地面をならすことができる。そしてこのような場合であっても、上記の構成によれば、旋回時自動昇降制御を中断することなく継続することができる。
【０１２８】
また本実施形態の田植機１において、植付部３を下降させた状態で植付クラッチ５０が切断された場合、制御部は、植付再開までの間に、植付部上昇操作が行われたとしても、植付中断位置を変更せずに、前記旋回時自動昇降制御を継続する。
【０１２９】
このように、植付部３を下降させたまま走行しているときには、トリガ操作が行われたとしても植付中断位置を変更しないことにより、植付再開位置がズレることを防止できる。また、植付部３の上昇操作等を行っても旋回時自動昇降制御が中断されることはないので、必要に応じて植付部３の上昇操作等を適宜行うことができる。
【０１３０】
また本実施形態の田植機１は、以下のように構成されている。即ち、この田植機１は、苗継ぎ作業の際に「苗継」位置に操作される主変速レバーと、前記旋回時自動昇降制御が行われていることを報知音により報知する報知部と、を備える。主変速レバーが「苗継」位置にあるときには、制御部は、前記報知音を鳴らさない。
【０１３１】
これにより、不必要に報知音が鳴らされることを防止できる。
【０１３２】
また本実施形態の田植機は、以下のように構成されている。ことが好ましい。即ち、この田植機１は、旋回時自動昇降制御において、制御部が植付部３を下降させる速度と、操縦者の操作による植付部３の下降速度と、が異なる。
【０１３３】
即ち、自動昇降制御に適した下降速度と、マニュアル操作に適した下降速度と、をそれぞれ設定することにより、自動昇降制御における制御性を向上させつつ、マニュアル操作における安全性と操作性を維持することができる。
【０１３４】
以上に本発明の好適な実施の形態を説明したが、上記の構成は例えば以下のように変更することができる。
【０１３５】
植付部３はロータリ式としたが、クランク式の田植機であっても本発明の構成を適用することができる。
【０１３６】
「所定の旋回パターンから外れた操作」は例示したものに限らない。
【０１３７】
上記実施形態では、植付昇降レバーがマーカ操作具を兼ねる構成としたが、植付昇降操作具とマーカ操作具を別々に設ける構成であっても良い。
【０１３８】
回転センサ４４によって回転数及び回転速度を検出する伝動軸は、植付駆動伝動軸５２に限らない。例えば、図３に点線で示す位置４４ａに回転センサ４４を設け、当該回転センサ４４によってプロペラシャフト３９の回転数を検出するように構成しても良い。
【０１３９】
旋回時自動昇降制御のトリガとなる操作は、植付部の上昇操作に限らない。例えば、ステアリングハンドル７が所定量以上操作されたことをトリガとして旋回時自動昇降制御を開始する構成も考えられる。また、車体を後進させる操作が行われたことをトリガとして旋回時自動昇降制御を開始する構成も考えられる。このように、様々なトリガ操作に対応するとにより、様々な旋回パターンに対応して、旋回時自動昇降制御を行うことができる。
【符号の説明】
【０１４０】
１  田植機
３  植付部
１３  ＰＴＯ軸
１８  線引きマーカ（マーカ）
５０  植付クラッチ
【図１】
0005689739.tif 000002
【図２】
0005689739.tif 000003
【図３】
0005689739.tif 000004
【図４】
0005689739.tif 000005
【図５】
0005689739.tif 000006
【図６】
0005689739.tif 000007
【図７】
0005689739.tif 000008